(57)【要約】【課題】  本発明は、端末装置において簡単な操作を行うだけで、所望の情報をサーバ装置から端末装置に送信し提供することができる情報提供システムを提供することを目的とする。【解決手段】  再生対象の動画像データを、当該動画像データの記憶領域を表すアドレス情報と対応付けて記憶する記憶部８０と、端末装置３０から送信されたアドレス情報と対応付けて記憶されている動画像データを記憶部８０から読み出し、これを端末装置３０に送信することにより、動画像データに応じた動画を端末装置３０の表示部１４０に表示させる読出処理部４０とを有するサーバ装置２０を備える。【選択図】  図１
2016122963.tif 000002
【特許請求の範囲】
【請求項１】
画像を撮像する撮像部と、
前記撮像部によって取得された画像データを解析することにより、再生対象の動画像データの記憶領域を表すアドレス情報を生成し、これを送信する解析処理部と
を有する端末装置と、
再生対象の前記動画像データを、当該動画像データの記憶領域を表す前記アドレス情報と対応付けて記憶する記憶部と、
前記端末装置から送信された前記アドレス情報と対応付けて記憶されている前記動画像データを前記記憶部から読み出し、これを前記端末装置に送信することにより、前記動画像データに応じた動画を前記端末装置の表示部に表示させる読出処理部と
を有するサーバ装置と
を備えることを特徴とする情報提供システム。
【発明の詳細な説明】
【技術分野】
【０００１】
本発明は、情報提供システムに関する。
【背景技術】
【０００２】
従来、ＱＲコード（登録商標）から取得されるデータに応じた情報をユーザに提供する情報提供システムとして、種々のものが開発及び提案されている（例えば、特許文献１参照）。
【先行技術文献】
【特許文献】
【０００３】
【特許文献１】特開２００９−２４４２３９号公報
【発明の概要】
【発明が解決しようとする課題】
【０００４】
本発明は、端末装置において簡単な操作を行うだけで、所望の情報をサーバ装置から端末装置に送信し提供することができる情報提供システムを提供することを目的とする。
【課題を解決するための手段】
【０００５】
本発明の一態様による情報提供システムは、
画像を撮像する撮像部と、
前記撮像部によって取得された画像データを解析することにより、再生対象の動画像データの記憶領域を表すアドレス情報を生成し、これを送信する解析処理部と
を有する端末装置と、
再生対象の前記動画像データを、当該動画像データの記憶領域を表す前記アドレス情報と対応付けて記憶する記憶部と、
前記端末装置から送信された前記アドレス情報と対応付けて記憶されている前記動画像データを前記記憶部から読み出し、これを前記端末装置に送信することにより、前記動画像データに応じた動画を前記端末装置の表示部に表示させる読出処理部と
を有するサーバ装置と
を備える。
【発明の効果】
【０００６】
本発明の情報提供システムによれば、端末装置において簡単な操作を行うだけで、所望の情報をサーバ装置から端末装置に送信し提供することができる。
【図面の簡単な説明】
【０００７】
【図１】本発明の実施の形態による情報提供システム、サーバ装置及び端末装置の構成を示すブロック図である。
【発明を実施するための形態】
【０００８】
以下、本発明の実施の形態について図面を参照して説明する。
【０００９】
図１（ａ）に、本発明の実施の形態による情報提供システム１０の構成を示し、図１（ｂ）に、当該情報提供システム１０のサーバ装置２０の詳細な構成を示し、図１（ｃ）に、当該情報提供システム１０の端末装置３０の詳細な構成を示す。
【００１０】
サーバ装置２０は、制御部４０と、入力部５０と、送受信処理部６０と、表示部７０と、記憶部８０とを有する。サーバ装置２０の記憶部８０には、情報提供システム１０を実現するために必要なソフトウエアが予め記憶されている。制御部４０は、この記憶部８０に記憶されているソフトウエアを読み出して実行することにより、各部の動作を制御する。
【００１１】
サーバ管理者が、サーバ装置２０に動画像データを記憶させようとして、サーバ装置２０の表示部７０を目視しながら入力部５０を操作すると、サーバ装置２０の制御部４０は、外部から送受信処理部６０を介して供給される動画像データを記憶部８０に記憶する。
【００１２】
その際、制御部４０は、記憶部８０の記憶領域を表すアドレス情報からなるＵＲＬ（Uniform Resource Locator）情報を、記憶対象の動画像データと対応付けて記憶する。
【００１３】
このようにして、制御部４０は、複数の動画像データを、ＵＲＬ情報と対応付けながら記憶部８０に順次記憶していく。
【００１４】
ところで、端末装置３０は、例えばスマートフォンなどの多機能電話からなり、制御部９０と、撮像部１００と、入力部１１０と、送受信処理部１２０と、アンテナ１３０と、表示部１４０と、記憶部１５０とを有する。端末装置３０の記憶部１５０には、情報提供システム１０を実現するために必要なソフトウエアが予め記憶されている。制御部９０は、この記憶部１５０に記憶されているソフトウエアを読み出して実行することにより、各部の動作を制御する。
【００１５】
本実施の形態の場合には、書籍などの紙媒体が用意され、この紙媒体の所望のページには、当該ページの内容に関連する動画像データのＵＲＬ情報が埋め込まれたＱＲコード（登録商標）が表示されている。
【００１６】
この状態において、ユーザが、端末装置３０の表示部１４０を目視しながら入力部１１０を操作することにより、紙媒体の所望のページに表示されているＱＲコード（登録商標）を撮像部１００によって撮像すると、撮像部１００は、取得した画像データを制御部９０に送出する。
【００１７】
制御部９０は、撮像部１００から与えられた画像データを解析することにより、再生対象の動画像データのＵＲＬ情報を生成し、これを送受信処理部１２０及びアンテナ１３０を介してサーバ装置２０に送信する。
【００１８】
サーバ装置２０の制御部４０は、端末装置３０から送信されたＵＲＬ情報を送受信処理部６０を介して受信すると、当該ＵＲＬ情報と対応付けて記憶されている動画像データを記憶部８０から読み出し、この動画像データを送受信処理部６０を介して端末装置３０に送信する。
【００１９】
端末装置３０の制御部９０は、サーバ装置２０から送信された動画像データをアンテナ１３０及び送受信処理部１２０を介して受信すると、当該動画像データに応じた動画を表示部１４０に表示して再生することにより、所望の動画をユーザに提供する。
【００２０】
このように本実施の形態によれば、端末装置３０において簡単な操作を行うだけで、所望の情報をサーバ装置２０から端末装置３０に送信し提供することができる。
【００２１】
なお、上述の実施の形態においては、撮像対象の画像として、ＱＲコード（登録商標）を適用した場合について述べたが、本発明はこれに限らず、再生対象の動画像データのＵＲＬ情報に基づいて生成された他の種々の画像を適用するようにしても良い。
【００２２】
また、上述の実施の形態においては、撮像部として、撮像部１００を適用した場合について述べたが、本発明はこれに限らず、画像を撮像する他の種々の撮像部を適用するようにしても良い。
【００２３】
また、上述の実施の形態においては、解析処理部として、端末装置３０の制御部９０を適用した場合について述べたが、本発明はこれに限らず、撮像部１００によって取得された画像データを解析することにより、再生対象の動画像データの記憶領域を表すアドレス情報を生成し、これを送信する他の種々の解析処理部を適用するようにしても良い。
【００２４】
また、上述の実施の形態においては、記憶部として、サーバ装置２０の記憶部８０を適用した場合について述べたが、本発明はこれに限らず、再生対象の動画像データを、当該動画像データの記憶領域を表すアドレス情報と対応付けて記憶する他の種々の記憶部を適用するようにしても良い。
【００２５】
また、上述の実施の形態においては、読出処理部として、サーバ装置２０の制御部４０を適用した場合について述べたが、本発明はこれに限らず、端末装置３０から送信されたアドレス情報と対応付けて記憶されている動画像データを記憶部８０から読み出し、これを端末装置３０に送信することにより、動画像データに応じた動画を端末装置３０の表示部１４０に表示させる他の種々の読出処理部を適用するようにしても良い。
【符号の説明】
【００２６】
１０  情報提供システム
２０  サーバ装置
３０  端末装置
４０、９０  制御部
５０、１１０  入力部
６０、１２０  送受信処理部
７０、１４０  表示部
８０、１５０  記憶部
１００  撮像部
【図１】
2016122963.tif 000003